(57)【要約】【課題】ユーザのライフスタイルの変化を検知し、その変化に合致すると推定される移動体への変形をユーザに推奨する移動体推奨システムおよび方法を提供する。【解決手段】ユーザと携帯端末１２を介して通信可能なサーバ１０を備え、そのサーバが、路面を走行可能ｎ輪車の移動ユニット１４で他の移動ユニットとボディを介して連結されてｎ輪の移動体に変形可能なものを所有するユーザから送信される行動ログ情報を受信して記録する記録部１０ａ１と、ユーザが所有する移動ユニットの識別情報などを受信して記録する記録部１０ａ２と、ユーザの行動ログ情報から行動様式の変化を検知する変化検知部１０ａ３と、変化が検知されたユーザについて変化に合致すると推定される移動体との連結に必要なボディを推奨する推奨部１０ａ４と、その情報を変化が検出されたユーザに送信する送信部１０ａ５を備える。【選択図】図１
2019091370.tif 000002
【特許請求の範囲】
【請求項１】
ユーザと携帯端末を介して相互に通信可能なサーバを備えると共に、前記サーバが、  
路面を走行可能なｎ（ｎ≧１）輪車と前記ｎ輪車を駆動する原動機とからなる移動ユニットで、他の移動ユニットとボディを介して一体的に連結されるときｍ輪（ｍ＞ｎ）の移動体に変形可能な移動ユニットを前記ユーザが少なくとも１個所有するとき、前記ユーザのそれぞれから前記携帯端末を介して送信される行動ログ情報を受信して記録する行動ログ記録部と、  
前記携帯端末を介してユーザのそれぞれが所有する移動ユニットのユーザ識別情報を、前記ユーザのそれぞれが前記ボディも所有するときは前記ボディのユーザ識別情報と共に送信するとき、受信して記録する移動ユニット情報記録部と、  
前記ユーザのそれぞれの行動ログ情報から前記ユーザのそれぞれの行動様式の変化を検知するユーザ行動様式変化検知部と、  
前記行動様式の変化が検知されたユーザについて、検知された変化に合致すると推定されるｍ輪の移動体との連結に必要なボディを推奨する推奨部と、    
前記推奨されたボディについての情報を前記行動様式の変化が検出されたユーザの携帯端末に送信する送信部と、
を備えることを特徴する移動体推奨システム。
【請求項２】
前記行動ログ記録部は前記ユーザのそれぞれの所在地を記録し、前記推奨部は前記行動ログ記録部で記録された所在地に基づいて製造工場を推奨すると共に、前記送信部は前記推奨されたボディについての情報を前記製造工場にも送信することを特徴とする請求項１記載の移動体推奨システム。
【請求項３】
前記推奨部は、前記移動ユニット情報記録部で記録されている移動ユニットでは不足と判断するときは移動ユニット不足情報を作成すると共に、前記送信部は前記移動ユニット不足情報を前記ユーザの携帯端末に送信することを特徴とする請求項１または２記載の移動体推奨システム。  
【請求項４】
前記サーバが、さらに  
前記移動ユニット情報で記録されているボディの下取り金額と、前記推奨されたボディの製造金額と、前記移動ユニット不足情報とからユーザが必要な金額を計算する金額計算部を備えることを特徴とする請求項３記載の移動体推奨システム。
【請求項５】
ユーザが路面を走行可能なｎ（ｎ≧１）輪車と前記１輪車を駆動する原動機とからなる移動ユニットで、他の移動ユニットとボディを介して一体的に連結されるときｍ輪（ｍ＞ｎ）の移動体に変形可能な移動ユニットを少なくとも１個所有するとき、前記ユーザのそれぞれの行動ログ情報を記録し、  
前記ユーザのそれぞれが所有する移動ユニットのユーザ識別情報を、前記ユーザのそれぞれが前記ボディも所有するときは前記ボディのユーザ識別情報と共に記録し、  
前記ユーザのそれぞれの行動ログ情報から前記ユーザのそれぞれの行動様式の変化を検知し、  
前記行動様式の変化が検知されたユーザについて、検知された変化に合致すると推定されるｍ輪の移動体との連結に必要なボディを推奨し、    
前記推奨されたボディについての情報を前記行動様式の変化が検出されたユーザに送信する、
ステップからなることを特徴する移動体推奨方法。
【請求項６】
前記行動ログ記録ステップは前記ユーザのそれぞれの所在地を記録し、前記推奨ステップは前記行動ログ記録ステップで記録された所在地に基づいて製造工場を推奨すると共に、前記送信ステップは前記推奨されたボディについての情報を前記製造工場にも送信することを特徴とする請求項５記載の移動体推奨方法。
【請求項７】
前記推奨ステップは、前記移動ユニット情報記録ステップで記録されている移動ユニットでは不足と判断するときは移動ユニット不足情報を作成すると共に、前記送信ステップは前記移動ユニット不足情報を前記ユーザに送信することを特徴とする請求項５または６記載の移動体推奨方法。  
【請求項８】
さらに  
前記移動ユニット情報で記録されているボディの下取り金額と、前記推奨されたボディの製造金額と、前記移動ユニット不足情報とからユーザが必要な金額を計算する金額計算ステップを備えることを特徴とする請求項７記載の移動体推奨方法。
【発明の詳細な説明】
【技術分野】
【０００１】
本発明は移動体推奨システムおよび移動体推奨方法に関し、より詳しくはユーザのライフスタイルの変化に応じて移動体を推奨する技術に関する。  
【背景技術】
【０００２】
従来、ユーザは、ライフスタイル（行動様式）の変化に応じ２輪車（バイク）あるいは４輪車（自動車）などの移動体を買い替えていた。例えば、ユーザは、４輪車の場合、独身時代には２ドアのクーペに乗っていたとしても、結婚して家族が増えたときはミニバンに買い換えるなどしていた。  
【０００３】
しかし、４輪車などの移動体は高価なため、容易には買い換えることができない。そこで、そのような課題に対応するため、特許文献１において、路面を走行可能な一人乗車の基本走行移動能力を有する一輪車両からなる子車（移動ユニット）と、長距離移動能力を付加する機能付加装置を付加した機能車を備えると共に、子車と機能車と組み合わせてｍ輪（ｍ≧２）の移動体に変形する技術が提案されている。
【先行技術文献】
【特許文献】
【０００４】
【特許文献１】特開２００９−１７６２９５公報
【発明の概要】
【発明が解決しようとする課題】
【０００５】
特許文献１記載の技術は、上記のように機能付加装置を付加することで子車は流用できるように構成しているため、ユーザの出費を比較的低廉に抑えることが可能となる。しかし、特許文献１記載の技術を用いてライフスタイルの変化に応じて移動体の変形を自ら能動的に検討するようなユーザは限られる。  
【０００６】
従って、本発明の目的は上記した課題を解消し、ユーザのライフスタイルの変化を検知し、その変化に合致すると推定される移動体への変形をユーザに推奨するようにした移動体推奨システムおよび移動体推奨方法を提供することにある。
【課題を解決するための手段】
【０００７】
上記した課題を解決するために、本発明は、ユーザと携帯端末を介して相互に通信可能なサーバを備えると共に、前記サーバが、路面を走行可能ｎ（ｎ≧１）輪車と前記ｎ輪車を駆動する原動機とからなる移動ユニットで、他の移動ユニットとボディを介して一体的に連結されるときｍ輪（ｍ＞ｎ）の移動体に変形可能な移動ユニットを前記ユーザが少なくとも１個所有するとき、前記ユーザのそれぞれから前記携帯端末を介して送信される行動ログ情報を受信して記録する行動ログ記録部と、前記携帯端末を介してユーザのそれぞれが所有する移動ユニットのユーザ識別情報を、前記ユーザのそれぞれが前記ボディも所有するときは前記ボディのユーザ識別情報と共に送信するとき、受信して記録する移動ユニット情報記録部と、前記ユーザのそれぞれの行動ログ情報から前記ユーザのそれぞれの行動様式の変化を検知するユーザ行動様式変化検知部と、前記行動様式の変化が検知されたユーザについて、検知された変化に合致すると推定されるｍ輪の移動体との連結に必要なボディを推奨する推奨部と、前記推奨されたボディについての情報を前記行動様式の変化が検出されたユーザの携帯端末に送信する送信部とを備える如く構成した。    
【０００８】
また、本発明は、ユーザが路面を走行可能ｎ（ｎ≧１）輪車と前記ｎ輪車を駆動する原動機とからなる移動ユニットで、他の移動ユニットとボディを介して一体的に連結されるときｍ輪（ｍ＞ｎ）の移動体に変形可能な移動ユニットを少なくとも１個所有するとき、前記ユーザのそれぞれの行動ログ情報を記録し、前記ユーザのそれぞれが所有する移動ユニットのユーザ識別情報を、前記ユーザのそれぞれが前記ボディも所有するときは前記ボディのユーザ識別情報と共に記録し、前記ユーザのそれぞれの行動ログ情報から前記ユーザのそれぞれの行動様式の変化を検知し、前記行動様式の変化が検知されたユーザについて、検知された変化に合致すると推定さされるｍ輪の移動体との連結に必要なボディを推奨し、前記推奨されたボディについての情報を前記行動様式の変化が検出されたユーザに送信するステップからなる如く構成した。
【発明の効果】
【０００９】
本発明によれば、上記のようにユーザのライフスタイルの変化を検知し、その変化に合致すると推定される移動体への変形をユーザに推奨することでユーザの満足度を向上させることができる。  
【図面の簡単な説明】
【００１０】
【図１】本発明の実施形態に係る移動体推奨システムを全体的に示す概略図である。
【図２】図１の移動ユニットの構成を全体的に示す概略図である。
【図３】図１の移動ユニットを連結して移動体を製造（変形）する製造工場を全体的に示す概略図である。
【図４】図１のユーザの所持する携帯端末の説明図である。
【発明を実施するための形態】
【００１１】
以下、添付図面を参照して本発明に係る移動体推奨システムと移動体推奨価方法を実施するための形態について説明する。    
【００１２】
図１は、本発明の実施形態に移動体推奨システムを全体的に示す概略図、図２は移動ユニットの構成を示す概略図、図３は移動ユニットを連結して移動体を製造（変形）する製造工場を全体的に示す概略図、図４はユーザの所持する携帯端末の説明図である。    
【００１３】
図１に示す如く、本発明に係る移動体推奨システムは、サーバ１０を備え、サーバ１０はユーザＵｎと携帯端末１２を介して相互に通信可能に構成されると共に、ユーザＵｎは移動ユニット１４を備える（所有する）。ユーザＵｎはＵ１からＵｍ（ｍ≧２）までの複数の人の総称を意味する。移動ユニット１４は、例えば、ユーザＵ１は１個、Ｕ２は３個、Ｕｍは２個の移動ユニット１４を備える。  
【００１４】
図２に示す如く、移動ユニット１４は路面を走行可能ｎ輪車（車輪）１４ａと前記ｎ輪車１４ａを駆動する電動モータ（原動機）１４ｂとからなり、フレーム１４ｃで被覆されて全体として楕円形を呈する。ｎ輪車（車輪）１４ａは実施形態ではｎ＝１とするが、それに限定されるものではなく、ｎ≧２であっても良い。  
【００１５】
移動ユニット１４は、ｎ輪車（車輪）１４ａに加え、後部に旋回用の補助輪１４ｄと電動モータ１４ｂ用のバッテリ１４ｅを備えると共に、内部に電動モータ１４ｂの動作などを制御するコンピュータ１４ｆを備え、さらに上部にユーザＵｎの着座用の着座部１４ｇと、下部にユーザＵｎの足置き用のステップ１４ｈを備える。また、移動ユニット１４は、携帯端末１２や移動体推奨サーバなどと通信を行うための通信部１４ｉを備える。    
【００１６】
移動ユニット１４は、本出願人が先に提案したパーソナルモビリティＵＮＩ−ＣＵＢ（登録商標）に類似する構造を実際の路上走行を可能とするためにさらに改良した構造を備える。移動ユニット１４は、他の移動ユニット１４とボディを介して一体的に連結されるとき、ｍ輪（ｍ＞ｎ）、例えば４輪の移動体に変形可能に構成される。  
【００１７】
図１に示す如く、移動体の製造工場ＦｎはＦ１からＦｍ（ｍ≧２）までの複数の工場の総称を意味し、工場Ｆｎのそれぞれは大型の３Ｄプリンタ１６を備える。図３に示す如く、３Ｄプリンタ１６はホッパ１６ａから金属、樹脂、石膏などの溶融材をインクジェットとして供給され、指示に従って所望の形状の製品、具体的にはボディ２０を製造する。  
【００１８】
図示の如く、ボディ２０はユーザＵｎが持参した複数個の移動ユニット１４同士を連結する形状と乗員の体重移動を検知してその方向に操舵する操舵機構（図示せず）と車両（移動体）２２を制動する制動機構などを備え、図示例の場合は１輪の移動ユニット１４を４個連結して４輪の移動体（車両）２２に変形する形状を備える。ボディ２０は図示のような１輪の移動ユニット１４を２個連結して２輪の車両（移動体）２２に変形する形状を備えても良い。  
【００１９】
３Ｄプリンタ１６のインクジェットの溶融材は樹脂を基本とし、それから成形された成形品に適宜な処理を施すことで、衝突時などの衝撃を防止し得る強度を確保するように構成される。このように、樹脂を基本とすることで、製造されたボディ２０が不要となったとき、溶融して次のボディ２０の製造に再利用することができる。
【００２０】
図４はユーザＵｎが所持する携帯端末１２の説明図である。携帯端末１２はスマートフォンやタブレット端末、携帯電話、ＰＨＳ電話機、あるいは通信機能を備えたＰＤＡ（Portable Digital Assistant）、さらには各種ウエラブル端末などにより構成され、公知の如く、ディスプレイ１２ａと、無線部１２ｂと、現在位置を測定するＧＰＳ受信機などの測位センサ１２ｃなどを備える。  
【００２１】
図１の説明に戻ると、サーバ１０はコンピュータ、大型のコンピュータ（メインフレーム）からなり、例えば本出願人所有の施設内に設置される。サーバ１０は１個または複数個のプロセッサ（ＣＰＵ）１０ａとＲＯＭ，ＲＡＭなどのメモリ１０ｂを少なくとも備える。    
【００２２】
サーバ１０とユーザＵｎの所持する携帯端末１２は、アンテナなどの送受信手段２４と公衆電話通信網（あるいは無線ＬＡＮ）２６を介して双方向通信可能に接続される。ユーザＵｎは移動ユニット１４の購入者のうち、サーバ１０の管理者との間で所定のモニタ契約を締結した者からなる。ユーザＵｎの所有する移動ユニット１４と携帯端末１２とは無線で双方向通信可能に接続され、例えば移動ユニット１４の位置情報やバッテリ残量などの使用に関する情報が送受される。    
【００２３】
図示の如く、サーバ１０は、行動ログ記録部１０ａ１と、移動ユニット情報記録部１０ａ２と、ユーザ行動様式変化検知部１０ａ３と、推奨部１０ａ４と、送信部１０ａ５とを備える。行動ログ記録部１０ａ１などはプロセッサ１０ａの機能として実現される。  
【００２４】
行動ログ記録部１０ｂ１は、移動ユニット１４を少なくとも１個所有するユーザＵｎのそれぞれから携帯端末１２を介して送信される行動ログ情報を受信してメモリ１０ｂの適宜箇所に記録する。ここで、「行動ログ」情報は、ユーザＵｎの生活パターンを規定する、通勤、通学、家事などの日常の行動についての情報であり、行動ログ記録部１０ｂ１は受信した情報をメモリ１０ｂの適宜箇所にユーザＵｎのそれぞれごとに時系列に記録する。  
【００２５】
移動ユニット情報記録部１０ａ２は、携帯端末１２を介してユーザＵｎのそれぞれが所有する移動ユニット１４のユーザ名などのユーザ識別情報を送信するとき、ユーザ識別情報を受信してメモリ１０ｂの適宜箇所に記録すると共に、ユーザＵｎのそれぞれがボディ２０も所有してボディ２０のユーザ識別情報も送信するとき、ボディ２０のユーザ識別情報も移動ユニット１４のユーザ識別情報と共に、受信してメモリ１０ｂの適宜箇所に記録する。  
【００２６】
移動ユニット情報記録部１０ａ２は、メモリ１０ｂにアクセスして移動ユニット１４のユーザＵｎのそれぞれの情報を定期的に取得すると共に、新たにユーザＵｎの追加が確認されたときはユーザ識別情報の送信を促し、その受信を待ってメモリ１０ｂの適宜箇所に記録する。
【００２７】
ユーザ行動様式変化検知部１０ａ３は、ユーザＵｎのそれぞれの行動ログ情報からユーザＵｎのそれぞれの行動様式の変化、換言すればライフスタイルの変化を検知する。  
【００２８】
具体的には、ユーザ行動様式変化検知部１０ａ３は、ユーザＵｎのそれぞれの携帯端末１２の測位センサ１２ｅの出力から例えば、ユーザＵｎのいずれかの夜間の居所がある時点から永続的に変化したときは、そのユーザＵｎが居所を移転した（引越した）と判定する。  
【００２９】
また、ユーザ行動様式変化検知部１０ａ３は、携帯端末１２の測位センサ１２ｅの出力から例えばユーザＵｎのいずれかが同一の結婚式場を頻繁に訪問し、その後にホテル、空港、港などを何度か訪問したときは、そのユーザＵｎが結婚して新婚旅行に行ってきたと判定する。また、例えばユーザＵ１とユーザＵ２とが夜間に同一の居所にいることが継続的に検知されたときは、ユーザＵ１とユーザＵ２とが同居したと判定する。  
【００３０】
また、ユーザ行動様式変化検知部１０ａ３は、例えば、そのユーザＵｎがその後に近くの病院を定期的に訪問しているときは出産と判定し、その後に所定の年月を経て保育所、幼稚園、学校などを毎日訪問しているときはそのユーザＵｎの家族が増加したと判定する。  
【００３１】
このように、ユーザ行動様式変化検知部１０ａ３は上記した判定を重ねることでユーザＵｎの行動様式の変化を検知する。
【００３２】
推奨部１０ａ４は、行動様式の変化が検知されたユーザＵｎについて、検知された変化に合致すると推定されるｎ輪の移動体（車両）２２との連結に必要なボディ２０を推奨する。  
【００３３】
推奨部１０ａ４は例えば、家族が１人から２人に増えた、あるいは２人から３人以上に増えたとき、それまでの移動体２２が２輪車である場合、移動体２２として４輪の車両を推奨する。  
【００３４】
送信部１０ａ５は、推奨部１０ａ４によって推奨されたボディ２０についての情報を行動様式の変化が検出されたユーザＵｎの携帯端末１２に送受信手段２４と公衆電話通信網２６を介して送信する。
【００３５】
具体的には、行動ログ記録部１０ａ１はユーザＵｎのそれぞれの所在地を記録し、推奨部１０ａ４は行動ログ記録部１０ｂ１で記録された所在地に基づいて、より詳しくは当該のユーザＵｎの所在地に最も近い製造工場Ｆｎを推奨すると共に、送信部１０ａ５は推奨されたボディ２０についての情報、例えばそれまでの２輪車両に代え、４輪車両のボディ２０の形状などの詳細な情報を製造工場Ｆｎにも送信する。  
【００３６】
送信部１０ａ５は、同時に当該のユーザＵｎに携帯端末１２を介して通信し、製造工場Ｆｎに所有する移動ユニット１４を持参（持ち込む）ように助言する。
【００３７】
また、推奨部１０ａ４は、移動ユニット情報記録部１０ａ２でメモリ１０ｂの適宜箇所に記録されている当該のユーザＵｎが所有する移動ユニット１４では個数が不足と判断するときは移動ユニット不足情報を作成すると共に、送信部１０ａ５は作成された移動ユニット不足情報を当該のユーザＵｎの携帯端末１２に送信する。  
【００３８】
また、サーバ１０はさらに、移動ユニットのユーザ識別情報で記録されているボディ２０の下取り金額と、推奨されたボディ２０の製造金額と、移動ユニット不足情報とからユーザＵｎが必要な金額を計算する金額計算部１０ａ６を備える（金額計算部１０ａ６はプロセッサ１０ａの機能として実現される）。  
【００３９】
より詳しくは、送信部１０ａ５は、金額計算部１０ａ６が当該のユーザＵｎの必要な金額を計算したときは、それを携帯端末１２を介して当該のユーザＵｎに送信して閲覧を促す。
【００４０】
この実施形態は上記の如く、ユーザＵｎと携帯端末１２を介して相互に通信可能なサーバ１０を備えると共に、前記サーバ１０が、路面を走行可能ｎ（ｎ≧１）輪車（車輪）１４ａと前記ｎ輪車を駆動する原動機（電動モータ）１４ｂとからなる移動ユニット１４で、他の移動ユニット１４とボディ２０を介して一体的に連結されるときｍ輪（ｍ＞ｎ）の移動体（車両）２２に変形可能な移動ユニット１４を前記ユーザＵｎが少なくとも１個所有するとき、前記ユーザＵｎのそれぞれから前記携帯端末１２を介して送信される行動ログ情報を受信して記録する行動ログ記録部１０ａ１と、前記携帯端末１２を介してユーザＵｎのそれぞれが所有する移動ユニット１４のユーザ識別情報を、前記ユーザＵｎのそれぞれが前記ボディ２０も所有するときは前記ボディ２０のユーザ識別情報と共に送信するとき、受信して記録する移動ユニット情報記録部１０ａ２と、前記ユーザＵｎのそれぞれの行動ログ情報から前記ユーザＵｎのそれぞれの行動様式の変化を検知するユーザ行動様式変化検知部１０ａ３と、前記行動様式の変化が検知されたユーザＵｎについて、検知された変化に合致すると推定されるｍ輪の移動体２２との連結に必要なボディ２０を推奨する推奨部１０ａ４と、前記推奨されたボディ２０についての情報を前記行動様式の変化が検出されたユーザＵｎの携帯端末１２に送信する送信部１０ａ５とを備える如く構成した。  
【００４１】
また、この実施形態は、ユーザＵｎが路面を走行可能ｎ（ｎ≧１）輪車１４ａ（車輪）と前記ｎ輪車を駆動する原動機１４ｂとからなる移動ユニット１４で、他の移動ユニット１４とボディ２０を介して一体的に連結されるときｍ輪（ｍ＞ｎ）の移動体２２に変形可能な移動ユニット１４を少なくとも１個所有するとき、前記ユーザＵｎのそれぞれの行動ログ情報を記録し（１０ａ１）、前記ユーザＵｎのそれぞれが所有する移動ユニット１４のユーザ識別情報を、前記ユーザＵｎのそれぞれが前記ボディ２０も所有するときは前記ボディ２０のユーザ識別情報と共に記録し（１０ａ２）、前記ユーザＵｎのそれぞれの行動ログ情報から前記ユーザＵｎのそれぞれの行動様式の変化を検知し（１０ａ３）、前記行動様式の変化が検知されたユーザＵｎについて、検知された変化に合致すると推定されるｍ輪の移動体２２との連結に必要なボディ２０を推奨し（１０ａ４）、前記推奨されたボディ２０についての情報を前記行動様式の変化が検出されたユーザＵｎに送信する（１０ａ５）ステップからなる如く構成した。    
【００４２】
上記のように構成したので、ユーザＵｎのライフスタイルの変化を検知し、その変化に合致すると推定される移動体２２への変形をユーザＵｎに推奨することでユーザＵｎの満足度を向上させることができる。  
【００４３】
また、前記行動ログ記録部１０ａ１は前記ユーザＵｎのそれぞれの所在地を記録し、前記推奨部１０ａ４は前記行動ログ記録部１０ａ１によって記録された所在地に基づいて製造工場Ｆｎを推奨すると共に、前記送信部１０ａ５は前記推奨されたボディ２０についての情報を前記製造工場Ｆｎにも送信する如く構成、あるいは前記行動ログ記録ステップは前記ユーザＵｎのそれぞれの所在地を記録し、前記推奨ステップは前記行動ログ記録ステップで記録された所在地に基づいて製造工場Ｆｎを推奨すると共に、前記送信ステップは前記推奨されたボディ２０についての情報を前記製造工場Ｆｎにも送信する如く構成したので、上記した効果に加え、製造工場Ｆｎでは納期を短縮できると共に、ユーザＵｎへの営業活動を行うことができる。  
【００４４】
また、前記推奨部１０ａ４は、前記移動ユニット情報記録部１０ａ２によって記録されている移動ユニット１４では不足と判断するときは移動ユニット不足情報を作成すると共に、前記送信部１０ａ５は前記移動ユニット不足情報を前記ユーザＵｎの携帯端末１２に送信する如く構成、あるいは前記推奨ステップは、前記移動ユニット情報記録ステップで記録されている移動ユニットでは不足と判断するときは移動ユニット不足情報を作成すると共に、前記送信ステップは前記移動ユニット不足情報を前記ユーザに送信する如く構成したので、上記した効果に加え、ユーザは移動ユニットの不足を早期に認識することができる。  
【００４５】
また、前記サーバが、さらに前記移動ユニット情報で記録されているボディ２０の下取り金額と、前記推奨されたボディ２０の製造金額と、前記移動ユニット不足情報とからユーザＵｎが必要な金額を計算する金額計算部１０ａ６を備える如く構成、あるいはさらに前記移動ユニット情報で記録されているボディ２０の下取り金額と、前記推奨されたボディ２０の製造金額と、前記移動ユニット不足情報とからユーザＵｎが必要な金額を計算する金額計算ステップを備える構成したので、上記した効果に加え、ユーザＵｎの満足度を一層向上させることができる。
【００４６】
尚、上記において移動ユニット１４はｎ＝１の１輪車としたが、それに限定されるものではなく、ｎ≧２であっても良い。  
【００４７】
また、移動ユニット１４は図示した例に止まるものではなく、路面を走行可能ｎ輪車と前記ｎ輪車を駆動する原動機とからなり、他の移動ユニットとボディを介して一体的に連結されるときｍ輪の移動体に変形可能なものであれば、どのようなものでも良い。  
【００４８】
例えば、移動ユニット１４のｎ輪車（車輪）１４ａは、未舗装のオフロードを走行可能な悪路用の車輪であっても良い。ユーザＵｎのライフスタイルの変化を検知し、その変化に合致すると推定される移動体２２への変形をユーザＵｎに推奨する際には、例えば悪路用の車輪が適切な場合には、製造工場Ｆｎまで所有する移動ユニット１４を持参（持ち込み）したときにｎ輪車（車輪）１４ａを交換することができる。また、ｎ輪車（車輪）１４ａの交換ではなく、移動ユニット１４それ自体を交換しても良い。
【符号の説明】
【００４９】
１０  サーバ、１０ａ  プロセッサ、 １０ａ１  行動ログ記録部、１０ａ２  移動ユニット情報記録部、１０ａ３  ユーザ行動様式変化検知部、１０ａ４  推奨部、１０ａ５  送信部、１０ａ６  金額計算部、１０ｂ  メモリ、１２  携帯端末、１２ａ  ディスプレイ、１２ｂ  無線部、１２ｃ  測位センサ、１４  移動ユニット、１４ａ  ｎ輪車（車輪）、１４ｂ  原動機、１４ｃ  フレーム、１４ｄ  補助輪、１４ｅ  バッテリ、１４ｆ  コンピュータ、１４ｇ  着座部、１４ｈ  ステップ、１４ｉ  通信部、１６  ３Ｄプリンタ、２０  ボディ、２２  移動体（車両）、２４  送受信手段、２６  公衆電話通信網、Ｕｎ，Ｕ１，Ｕｍ  ユーザ、Ｆｎ，Ｆ１，Ｆｍ  製造工場
【図１】
2019091370.tif 000003
【図２】
2019091370.tif 000004
【図３】
2019091370.tif 000005
【図４】
2019091370.tif 000006